(57)【特許請求の範囲】
【請求項１】
舗装機械のスクリード装置にタンパ装置とスクリード加熱装置とを設けたアスファルトフィニッシャに於いて、スクリードプレートの温度検出用センサと、該温度検出用センサの検出温度が一定値以上のときにリレーを作動させるコントローラとを設け、タンパ装置の駆動スイッチとタンパ駆動用電磁制御弁のソレノイドとの間に、前記リレーのＡ接点を介装し、スクリードプレートが一定温度以上に加熱されて前記リレーが作動したときに、前記リレーのＡ接点がオンとなって、前記タンパ駆動用電磁制御弁のソレノイドが励磁されるように構成されたことを特徴とするアスファルトフィニッシャのタンパ制御装置。
【発明の詳細な説明】
【０００１】
【発明の属する技術分野】
本発明はアスファルトフィニッシャのタンパ制御装置に関するものであり、特に、スクリードプレートの加熱状態に応じてタンパ装置の駆動を制御するタンパ制御装置に関するものである。
【０００２】
【従来の技術及び発明が解決しようとする課題】
従来の此種アスファルトフィニッシャのスクリード装置には、上下に振動させてアスファルト合材を敷き固めるためのタンパ装置が備えられている。該タンパ装置の駆動源としては一般的に油圧式のタンパモータが使用され、電磁制御弁にてこのタンパモータへ供給する圧油を制御している。また、アスファルト合材を高温に維持しておくために、通常、スクリード装置には加熱装置が備えられている。
【０００３】
しかし、スクリードプレートが十分に加熱されずにアスファルト合材が冷えていると、タンパがアスファルト合材にて固着された状態である。この状態でタンパ装置を駆動すれば、タンパ装置に過負荷がかかってタンパモータが破損する虞がある。
【０００４】
そこで、スクリード装置が十分に過熱されるまではタンパ装置の駆動を禁止して、冷間時でのタンパモータの破損を防止するために解決すべき技術的課題が生じてくるのであり、本発明はこの課題を解決することを目的とする。
【０００５】
【課題を解決するための手段】
本発明は上記目的を達成するために提案されたものであり、舗装機械のスクリード装置にタンパ装置とスクリード加熱装置とを設けたアスファルトフィニッシャに於いて、スクリードプレートの温度検出用センサと、該温度検出用センサの検出温度が一定値以上のときにリレーを作動させるコントローラとを設け、タンパ装置の駆動スイッチとタンパ駆動用電磁制御弁のソレノイドとの間に、前記リレーのＡ接点を介装し、スクリードプレートが一定温度以上に加熱されて前記リレーが作動したときに、前記リレーのＡ接点がオンとなって、前記タンパ駆動用電磁制御弁のソレノイドが励磁されるように構成されたアスファルトフィニッシャのタンパ制御装置を提供するものである。
【０００６】
【発明の実施の形態】
以下、本発明の一実施の形態を図面に従って詳述する。図１は舗装機械の一例としてアスファルトフィニッシャ１０を示し、該アスファルトフィニッシャ１０は機体の前部にアスファルト合材を受け入れるホッパ装置１１を備え、該ホッパ装置１１に受け入れたアスファルト合材を機体後部のスクリュー装置１２に搬送するコンベヤ装置１３と、機体の後方に牽引されてアスファルト合材を敷き均すスクリード装置１４等から構成されている。スクリード装置１４にはタンパ装置１５が備えられており、該タンパ装置１５を上下に振動させてアスファルト合材を敷き固める。
【０００７】
図２はタンパ装置１５の駆動回路を示し、該タンパ装置１５を駆動するタンパモータ１６は油圧源１７から供給される圧油によって回転し、タンパモータ駆動用の電磁制御弁１８にてその回転方向及び回転速度が制御される。前記タンパモータ１６と電磁制御弁１８との間には、圧力スイッチ１９と流量制御弁２０を介装してある。後述のコントローラ３０からの指令により前記電磁制御弁１８のソレノイド２１が励磁されると、電磁制御弁１８のスプールが（ロ）位置に切り替り、前記タンパモータ１６に圧油が供給されてタンパ装置１５が駆動される。そして、流量制御弁２０の絞り開度を調整してタンク２２へ逃がす圧油の量を増減し、タンパモータ１６への圧油供給量を変更することにより、タンパモータ１６の回転速度を変速させてタンパの上下速度を変更する。
【０００８】
図３はタンパ制御装置の回路を示し、前述のコントローラ３０にはスイッチ２３を介して+24V電源が供給され、前記スクリード装置１４のスクリードプレート（図示せず）の温度検出用センサ２４が検出する信号が該コントローラ３０に入力される。また、該コントローラ３０からの信号出力により、リレー２５が制御されるとともに、スクリード加熱装置２６が制御される。このスクリード加熱装置２６はイグナイタ（着火装置）やブロアモータ等で構成されている。また、タンパ駆動用スイッチ２７と前記電磁制御弁１８のソレノイド２１との間には、前記リレー２５のＡ接点２８が直列に接続されている。
【０００９】
いま、コントローラ３０からの信号出力により前記スクリード加熱装置２６が駆動されてスクリード装置を加熱する場合、前記温度検出用センサ２４の検出信号からスクリードプレートが一定温度に達していないとコントローラ３０が判断したときは、コントローラ３０から前記リレー２５に作動信号が出力されない。従って、前記リレーのＡ接点２８がオフ（離反状態）であるから、譬えタンパ駆動用スイッチ２７をオンしたとしても、前記ソレノイド２１には通電されず、タンパモータ１６が回転することはない。
【００１０】
これに対して、前記スクリード加熱装置２６の駆動にてスクリード装置が十分に加熱され、前記温度検出用センサ２４の検出信号からスクリードプレートが一定温度以上に達したとコントローラ３０が判断したときは、コントローラ３０から前記リレー２５に作動信号が出力される。従って、前記リレーのＡ接点２８がオン（接触状態）となり、タンパ駆動用スイッチ２７をオンしたときは、前記ソレノイド２１に通電されて前記電磁制御弁１８のスプールが（ロ）位置に切り替り、タンパモータ１６が回転してタンパ装置１５が駆動状態となる。
【００１１】
このように、スクリードプレートが一定温度以上に加熱されてりレー２５が作動したときのみ、前記ソレノイド２１が励磁されてタンパモータ駆動用の電磁制御弁１８が切り替るので、タンパがアスファルト合材にて固着された状態でのタンパ装置の駆動が禁止され、冷間時でのタンパモータの破損を防止できる。
【００１２】
尚、本発明は、本発明の精神を逸脱しない限り種々の改変を為すことができ、そして、本発明が該改変されたものに及ぶことは当然である。
【００１３】
【発明の効果】
本発明は上記一実施の形態に詳述したように、請求項１記載の発明は、スクリードプレートの温度検出用センサと、このセンサの検出温度が一定値以上のときにリレーを作動させるコントローラとを設け、タンパ駆動用スイッチとタンパ駆動用電磁制御弁のソレノイドとの間に前記リレーのＡ接点が介装される。スクリードプレートが一定温度以上に加熱されたときは、前記リレーのＡ接点がオンとなるので前記ソレノイドが励磁され、タンパ装置が駆動される。
【００１４】
一方、スクリードプレートが一定温度まで加熱されていないときは、前記リレーのＡ接点がオフであるので前記ソレノイドが励磁されず、タンパ装置が駆動されることはない。従って、冷間時にタンパがアスファルト合材にて固着された状態でのタンパの破損を防止することができる。
【図面の簡単な説明】
図は本発明の一実施の形態を示すものである。
【図１】アスファルトフィニッシャの側面図
【図２】タンパ装置の駆動回路図。
【図３】（ａ）タンパ制御装置のブロック図。
（ｂ）タンパ制御装置の電気回路図。
【符号の説明】
１０        アスファルトフィニッシャ
１５        タンパ装置
１８        電磁制御弁
２１        ソレノイド
２４        温度検出用センサ
２５        リレー
２６        スクリード加熱装置
２７        ダンパ駆動用スイッチ
２８        リレーのＡ接点
【図１】
0003681687.tif 000002
【図２】
0003681687.tif 000003
【図３】
0003681687.tif 000004